(57)【要約】【課題】装置全体の大形化を抑制しつつ、横方向等所要方向の光出力と全体の光出力を向上させることができる蛍光ランプ装置および照明器具を提供する。【解決手段】管外径７〜１２ｍｍの発光管により屈曲形成され発光管で囲まれた最大が外径５０〜８５ｍｍ、この最大外径方向に対して垂直方向に沿う高さ３０〜６５ｍｍ、放電路長２００〜５００ｍｍの蛍光ランプ５と；この蛍光ランプを点灯させる点灯装置３と；この点灯装置を収容するとともに、前記蛍光ランプを保持しており、前記点灯装置に電気的に接続された口金部４を有する本体２と；を具備している。【選択図】  図１
2010205433.tif 000002
【特許請求の範囲】
【請求項１】
管外径７〜１２ｍｍの発光管により屈曲形成され発光管で囲まれた最大が外径５０〜８５ｍｍ、この最大外径方向に対して垂直方向に沿う高さ３０〜６５ｍｍ、放電路長２００〜５００ｍｍの蛍光ランプと；
この蛍光ランプを点灯させる点灯装置と；
この点灯装置を収容するとともに、前記蛍光ランプを保持しており、前記点灯装置に電気的に接続された口金部を有する本体と；
を具備していることを特徴とする蛍光ランプ装置。
【請求項２】
前記蛍光ランプを覆う光拡散性と透光性を有するグローブを具備していることを特徴とする請求項１記載の蛍光ランプ装置。
【請求項３】
前記蛍光ランプは、その一対の電極封止端部を、前記発光管に囲まれた最大外径の直径方向で対向する位置に配置しており、
前記点灯装置の複数の電子部品およびラッピングピンを実装した点灯回路基板を、前記蛍光ランプの一対の電極封止端部同士の間に配設していると共に一対の電極封止端部からそれぞれ導出されるワイヤーを巻き付けるラッピングピンは、一対のバルブ端部を結ぶ仮想線に近接し、バルブ端部に対向するよう配設していることを特徴とする請求項１または２記載の蛍光ランプ装置。
【請求項４】
前記口金部は、その露出外面に放熱用フィンを形成していることを特徴とする請求項１ないし３のいずれか一記載の蛍光ランプ装置。
【請求項５】
請求項１ないし４のいずれか一記載の蛍光ランプ装置と；
前記口金部に着脱可能に装着されて電気的に接続されるソケットを備えた器具本体と；
を具備していることを特徴とする照明器具。
【発明の詳細な説明】
【技術分野】
【０００１】
本発明は、蛍光ランプと点灯装置とを具備した蛍光ランプ装置および照明器具に関する。
【背景技術】
【０００２】
従来、この種の蛍光ランプ装置の一例としては、ＩＥＣ（国際電気標準会議）で規格されたＧＸ５３形の口金を用いたランプ装置がある。このランプ装置は、扁平状でその上面にＧＸ５３形の口金部が設けられているとともに、下面側に例えば複数本のＵ字形の発光管を一平面上に横置きで並設し、これら隣り合う発光管同士を連結管等により一体に連結して１本の屈曲放電路に形成した扁平薄形の蛍光ランプを配置し、内部に蛍光ランプを点灯させる点灯装置を収容し、上面側、下面側とのなす高さ寸法が小さい薄形に形成されている。口金部の上面には、ランプ装置の高さ方向を軸方向として、一対のランプピンが突き出している。これらランプピンをソケットに挿入し、蛍光ランプ装置を中心軸回りに回転させてランプピンをソケット部に引っ掛けることにより、ソケット部の受金が接触してランプピンに電源供給するように構成されている（例えば、特許文献１，２参照）。
【先行技術文献】
【特許文献】
【０００３】
【特許文献１】特開２００７−４２２９０号公報
【特許文献２】特開２００７−１８００１１号公報
【発明の概要】
【発明が解決しようとする課題】
【０００４】
しかしながら、この特許文献１，２記載の蛍光ランプ装置では、複数の発光管が横置き状態で並設された一平面に対して平行な方向、すなわち横方向の光出力がその垂直方向、すなわち縦方向の光出力よりも大幅に低く、配光が偏向しているという課題を有する。
【０００５】
すなわち、複数の発光管は、その並設方向、すなわち、横方向では、相互に隣り合っているが、その垂直方向では、相互に隣り合っていない。このために、これら発光管の各垂直方向（縦方向）の光出力は、他の発光管により遮光されずに、そのまま出力される。このために、垂直方向（縦方向）への光出力は高い。
【０００６】
これに対し、これら発光管の横方向の光出力は、これら発光管の並設方向の中間部に位置する発光管の横方向の光出力が、その両側で隣り合う発光管により遮光され、または吸収されてしまうので、その分、低下する。
【０００７】
また、一般に、蛍光ランプでは、その一対の電極封止端部側と、複数の発光管同士を連結する連結管側は、共に光出力の低い部分であるが、これら一対の電極封止端部と連結管が上記従来例では、同一側にあるので、これら電極封止端部側の光出力の方がその直径方向反対側の光出力よりも低く、横方向の配光においても、その配光が偏向しているという課題もある。
【０００８】
さらに、上記従来例では、一平面上に複数の発光管を横置き状態で並設することにより蛍光ランプをいわば平面形に形成している。このために、この蛍光ランプの高さ（厚さ）は、各発光管の直径にほぼ相当し、高さが低い。その結果、この蛍光ランプの高さ方向から横方向へ出力される配光が少ないうえに、この高さ方向に配設される点灯装置との間隔が短くなり、その分、蛍光ランプの発熱により点灯装置が加熱され易くなり、点灯装置が熱的に劣化し易いという課題もある。
【０００９】
さらにまた、上記従来例では、一平面上に複数の発光管を横置きで並設して１本の放電路を形成しているので、この放電路の長さを長くして光出力を増大させるためには、これら発光管の並設面の大形化を招くという課題もある。
【００１０】
本発明はこのような事情を考慮してなされたもので、装置全体の大形化を抑制しつつ、横方向等所要方向の光出力と全体の光出力を向上させることができる蛍光ランプ装置および照明器具を提供することにある。
【課題を解決するための手段】
【００１１】
請求項１に係る蛍光ランプ装置は、管外径７〜１２ｍｍの発光管により屈曲形成され発光管で囲まれた最大が外径５０〜８５ｍｍ、この最大外径方向に対して垂直方向に沿う高さ３０〜６５ｍｍ、放電路長２００〜５００ｍｍの蛍光ランプと；この蛍光ランプを点灯させる点灯装置と；この点灯装置を収容するとともに、前記蛍光ランプを保持しており、前記点灯装置に電気的に接続された口金部を有する本体と；を具備していることを特徴とする。
【００１２】
本請求項１以下において、蛍光ランプは例えば扁平２重螺旋形に形成された場合、螺旋回転軸に直交する螺旋部の平面形状が環形の環状部が、発光管に囲まれた最大径部を示す。また、その螺旋の高さは、螺旋軸に直交する螺旋部の最大外径よりも低い扁平に形成されている。しかし、蛍光ランプはこの扁平２重螺旋形に限定されるものではなく、複数のＵ字バルブを連結して１本の放電路を形成したものであっても、鞍形に屈曲形成されていても構わない。この場合の外径とは、複数の直線部に囲まれた部分を示す。
【００１３】
また、口金部は、例えばソケットの引っ掛けシーリングに着脱可能に装着されて電気的かつ機械的に接続される引っ掛けシーリング用口金ＧＸ５３を具備してもよい。これによれば、ねじ込み形の例えばＥ１７やＥ２６型等の口金よりも高さを低くすることができるうえに、感電防止の点でも優れている。
【００１４】
請求項２に係る蛍光ランプ装置は、前記蛍光ランプを覆う光拡散性と透光性を有するグローブを具備していることを特徴とする。
【００１５】
請求項３に係る蛍光ランプ装置は、前記蛍光ランプは、その一対の電極封止端部を、前記発光管に囲まれた最大外径の直径方向で対向する位置に配置しており、前記点灯装置の複数の電子部品およびラッピングピンを実装した点灯回路基板を、前記蛍光ランプの一対の電極封止端部同士の間に配設していると共に一対の電極封止端部からそれぞれ導出されるワイヤーを巻き付けるラッピングピンは、一対のバルブ端部を結ぶ仮想線に近接し、バルブ端部に対向するよう配設していることを特徴とする。
【００１６】
請求項４に係る蛍光ランプ装置は、前記口金部は、その露出外面に放熱用フィンを形成していることを特徴とする。
【００１７】
請求項５に係る照明器具は、請求項１ないし４のいずれか一記載の蛍光ランプ装置と；前記口金部に着脱可能に装着されて電気的に接続されるソケットを備えた器具本体と；を具備していることを特徴とする。
【発明の効果】
【００１８】
請求項１に係る蛍光ランプ装置によれば、蛍光ランプは発光管の外径（７〜１２ｍｍ）よりも大きい高さ（３０〜６５ｍｍ）を有するので、この蛍光ランプの発光は、その高さのほぼ全域から横方向、すなわち、高さ方向に対して垂直な方向へ出力されるので、その横方向の光出力を向上させることができる。また、その分、蛍光ランプ装置全体の光出力を向上させることができる。
【００１９】
請求項２に係る蛍光ランプ装置によれば、蛍光ランプの発光がこの蛍光ランプを覆うグローブにより拡散されるので、蛍光ランプの形状がグローブに投影されることを防止または低減することができる。
【００２０】
請求項３に係る発明によれば、蛍光ランプの一対の電極封止端部のアウターワイヤーを点灯回路基板のラックピンにそれぞれ巻き付けることにより、これら一対の電極封止端部を点灯回路基板に電気的に接続することができると共に、点灯回路を本体に固定することができる。
【００２１】
請求項４に係る発明によれば、口金部の放熱フィンから外部に放熱し、蛍光ランプ装置の温度上昇を抑制できる。
【００２２】
請求項５に係る発明によれば、前記請求項１ないし４のいずれか一記載の蛍光ランプ装置を具備しているので、照明器具としてもこれらとほぼ同様の作用効果を奏することができる。
【図面の簡単な説明】
【００２３】
【図１】本発明の第１の実施形態に係る蛍光ランプ装置の一部を縦断面で示す正面図。
【図２】図１で示す蛍光ランプ装置の外観正面図。
【図３】図１で示す蛍光ランプの正面図。
【図４】図１で示す蛍光ランプ装置における本体およびホルダに点灯回路基板が固定された状態を示す平面図。
【図５】（ａ）は本発明の第２の実施形態に係る蛍光ランプ装置の斜視図、（ｂ）は同（ａ）の平面図、（ｃ）は同（ａ）の正面図。
【図６】（ａ）は本発明の第３の実施形態に係る蛍光ランプ装置の斜視図、（ｂ）は同（ａ）の底面図、（ｃ）は同（ａ）の正面図、（ｄ）は同（ｃ）の側面図。
【図７】（ａ）は本発明の第４の実施形態に係る照明器具の斜視図、（ｂ）は同（ａ）の底面図、（ｃ）は同（ａ）の正面図、（ｄ）は同（ｂ）のＢ−Ｂ線断面図。
【図８】（ａ）は本発明の第４の実施形態に係る照明器具の外観斜視図、（ｂ）は同（ａ）の平面図、（ｃ）は同（ａ）の正面図、（ｄ）は同（ａ）の底面図。
【発明を実施するための形態】
【００２４】
以下、本発明の実施形態を添付図面に基づいて説明する。なお、これら添付図面中、同一または相当部分には同一符号を付している。
【００２５】
図１は本発明の第１の実施形態に係る蛍光ランプ装置の一部を縦断面で示す正面図、図２は図１で示す蛍光ランプ装置の外観正面図、図３は図１で示す蛍光ランプの正面図である。
【００２６】
これら図１〜図３に示すように蛍光ランプ装置１は、本体２、この本体２内に収容される点灯装置３、この本体２に一体的に結合されるＧＸ５３形式の口金部４、本体２の図１中下面に取り付けられる蛍光ランプ５および本体２の図１中下部に取り付けられて、蛍光ランプ５の外周を覆うグローブ６を具備している。
【００２７】
本体２は、有底扁平円筒体で互いに組み合わされるホルダ７、断熱手段を構成する仕切板８、口金部４および図１，図２中、左右一対の口金ピン９，９を備えている。
【００２８】
ホルダ７は、伝熱性の良好な金属であるアルミニウム等により略円盤状に形成され、底部の円板状をなすカバー基板部７ａと、このカバー基板部７ａの外周部に連続するカバー外縁部７ｂとが一体に形成されている。カバー基板部７ａには、蛍光ランプ５の一対の電極封止端部５ａ，５ｂを挿通させる一対のバルブ挿通孔７ｃ，７ｃが形成されている。また、カバー外縁部７ｂは、下面を開口した断面略Ｖ字状をなし、外周面は、上側に向かって径寸法が小さくなるように傾斜している。また、このカバー外縁部７ｂのＶ字状開口には、グローブ６の上部開口端部が挿入され、接着等により取り付けられている。
【００２９】
さらに、カバー外縁部７ｂの上側の内周側は、環状に形成されて若干内側に突出し、口金部４を係合して保持している。また、本体２には、本実施の形態ではカバー基板部７ａの上面とカバー外縁部７ｂの内周面との角部の２カ所に、図示しない位置決め部が突設されている。
【００３０】
また、仕切板８は、絶縁性を有する樹脂により形成された略円盤状であって、円板状をなす仕切板基板部８ａには、蛍光ランプ５の一対の電極封止端部５ａ，５ｂを挿通させるバルブ挿通孔８ｂ，８ｂと、この仕切板基板部８ａの上面の中央部に設けられた点灯装置取付部と、仕切板基板部８ａの上面の両側部に設けられた口金ピン取付部８ｃ，８ｃと、仕切板基板部８ａの外周部に設けられた仕切板外縁部８ｄとが一体に形成されている。そして、仕切板基板部８ａは、ホルダ７のカバー基板部７ａの上面に密着し、あるいは所定の間隔を介して対向して配置され、本実施形態では、カバー基板部７ａ上面に密着して重ねられるようになっている。
【００３１】
そして、口金部４は、絶縁性を有する樹脂で形成された略円盤状で、円環板状をなす口金基板部４ａと、この口金基板部４ａの内側の縁部から円筒状をなして上側に突設された内筒部４ｂと、この内筒部４ｂの上端部を閉塞する天板部４ｃとが一体に形成されている。内筒部４ｂは、その内部に点灯装置３を収容する点灯装置収容部を形成している。また、口金基板部４ａの直径方向両端部には、それぞれ一対の口金ピン９，９が装着される。口金ピン９，９は、導電性を有する金属により、円柱状をなす軸部と、この軸部の上端部から断面Ｔ字状に突設されたプラグ部とが一体に形成されている。プラグ部は口金部４の口金基板部４ａの上面よりも上方に突出し、後述するソケット装置１０の給電孔に拡径部から挿入され、接続金具に電気的及び機械的に接続保持されるようになっている。
【００３２】
そして、点灯装置３は、回路基板３ａと、この回路基板３ａの片面あるいは両面に実装された電気部品３ｂとを備え、インバータ回路等の点灯回路を構成している。図４に示すように、回路基板３ａは、仕切基板部８ａの直径とほぼ同じ長さの長方形の平板よりなり、その長手方向両端部は、円盤状の仕切基板部８ａの外周縁部とほぼ同形の円弧状に形成されて嵌合し、その長手方向中間部にて、回路基板３ａの出力部である導電性小円柱状の左右一対のラックピン１１，１１が回路基板３ａの両側にそれぞれ立設されている。すなわち、これらラッピングピン１１，１１，…は、一対の電極封止端部５ａ，５ａ同士を直線で結ぶ仮想線に近接し、これら電極封止端部５ａ，５ａに対向するように立設されている。これらラックピン１１，１１，…は回路基板３ａに電気的に接続されている。これら４本のラックピン１１，１１，…の外周には、蛍光ランプ５の左右一対の電極封止端部５ａ，５ａからそれぞれ導出される４本のアウターワイヤー１２，１２，…がそれぞれ巻き付けられ、半田付けされる。これにより、これら蛍光ランプ５の一対の電極封止端部５ａ，５ａと回路基板３ａが電気的に接続される。
【００３３】
図３に示すように蛍光ランプ５は、外径φ１が例えば７〜１２ｍｍの発光管５ｂを、例えば２重螺旋形に形成して、環外径φ２が例えば５０〜８０ｍｍの円環状の環状部５ｃと、この環状部５ｃの一端からほぼ垂直に立ち上がる一対の電極封止端部５ａ，５ａをそれぞれ一体に形成し、放電路長が例えば２００〜５００ｍｍの１本の屈曲放電路と、３０〜６５ｍｍの高さを形成している。この高さは環状部５ｃの直径方向に対して垂直方向の長さである。そして、蛍光ランプ５は、その内面に例えば３波長形の蛍光体が設けられ、内部にアルゴン（Ａｒ）、ネオン（Ｎｅ）、あるいはクリプトン（Ｋｒ）などの希ガスや水銀などを含む封入ガスが封入されている。また、一対の電極封止端部５ａ，５ａは、環状部５ｃの直径方向両端部で離間配置され、さらに、ステムシールあるいはピンチシールによって一対の電極が封装されている。各電極は、フィラメントコイルを有し、このフィラメントコイルが一対の線状のウエルズに支持されている。各ウエルズは、例えばジュメット線を介して両端から外部に導出され、点灯装置２２に接続されるアウターワイヤー１２，１２に接続されている。また、例えば発光管５ｂの各一端部には、ステムシールあるいはピンチシールによって封装された図示しない排気管５ｄ，５ｄが形成されている。各排気管５ｄ，５ｄは、発光管５ｂの製造工程で発光管５ｂの排気を行い、溶断により封止されている。また、発光管５ｂの一端部には、排気管よりも長く直線状に延設されたガラス管である延設部としてのアマルガム専用細管が設けられている。このアマルガム専用細管の先端部には、アマルガムが封入されている。このアマルガムは、主アマルガムとも呼ばれ、ビスマス、錫、及び水銀で構成される合金であり、略球形状に形成され、発光管５ｂ内の水銀蒸気圧を適正な範囲に制御する。なお、このアマルガムは、水銀あるいは水銀合金であり、ビスマス及び錫の他に、インジウム、鉛などを組み合わせた合金により形成することもできる。
【００３４】
そして、グローブ６は、透光性を有し、すなわち、透明あるいは光拡散性を有するガラスや合成樹脂により、図１中、上端部に開口部６ａを設けた扁平円筒状に形成されている。そして、この開口部６ａを囲む縁部は、上側に向かう取付部となるとともに、下方に対向する正面部は、図１中、下方に凸のドーム状に形成されている。
【００３５】
図２は、このように構成された蛍光ランプ装置１の外径寸法の一例を示しており、高さ寸法は６０ｍｍ、全幅が７３．１ｍｍ、グローブ６の高さが４０．１ｍｍ、一対の口金ピン９，９同士の間隔が５３ｍｍであり、蛍光ランプ３の定格出力は１０Ｗである。口金部４はＧＸ５３形式であり、図示しない照明器具のソケットの引っ掛けシーリングに着脱可能に装着されて電気的および機械的に接続される。このようにしてソケット装置１０に装着された蛍光ランプ装置は、ソケットに機械的に保持されるとともに、ソケットから商用交流電源が供給され、内蔵した点灯装置３のインバータ回路により蛍光ランプ５の発光管５ｂを高周波で点灯するようになっている。
【００３６】
そして、本実施形態の蛍光ランプ装置１によれば、蛍光ランプ５は発光管の外径φ１（７〜１２ｍｍ）よりも大きい高さｈ（３０〜６５ｍｍ）を有するので、この蛍光ランプ５の発光は、その高さｈのほぼ全域から横方向、すなわち、高さ方向に対して垂直な方向へ出力されるので、その横方向の光出力を向上させることができる。また、その分、蛍光ランプ装置１全体の光出力を向上させることができる。さらに、蛍光ランプ５の放電路が２００〜５００ｍｍであって、長いので、蛍光ランプ装置１全体としての光出力を増大させることができる。
【００３７】
さらに、蛍光ランプ５の発光を、拡散性を有するグローブ６により拡散するので、蛍光ランプ５の形状がグローブ６に投影されることを防止または低減することができる。また、蛍光ランプ５の一対の電極封止端部５ａ，５ａのアウターワイヤー１２，１２，…を点灯回路基板３ａのラックピン１１，１１，…にそれぞれ巻き付けることにより、これら一対の電極封止端部５ａ，５ａを点灯回路基板３ａに電気的に接続することができると共に、点灯回路３を本体２に固定することができる。
【００３８】
図５（ａ）は本発明の第２の実施形態に係る蛍光ランプ装置の斜視図、（ｂ）は同（ａ）の平面図、（ｃ）は同（ａ）の正面図である。これらの図に示すようにこの蛍光ランプ装置１Ａは、上記蛍光ランプ装置１の口金部４の露出外面の一例である天板４ｃ上に、複数の放熱フィン２０ａ，２０ａ，…を有する放熱器２０を形成した点に特徴がある。放熱器２０は口金部４の天板４ｃとほぼ同形同大の円板状のベース上に、複数の羽根状のフィン２０ａ，２０ａ，…を所要のピッチで並設している。これ以外は上記蛍光ランプ装置１Ａと同じ構成である。
【００３９】
したがって、この蛍光ランプ装置１Ａによれば、その発熱を口金部４の放熱器２０から外部に放熱できるので、蛍光ランプ装置１Ａの温度上昇を抑制できる。ひいては口金部４の点灯装置収容部４ｂ内の点灯装置３の熱的劣化を抑制できる。
【００４０】
図６（ａ）は本発明の第３の実施形態に係る蛍光ランプ装置１Ｂの斜視図、（ｂ）は同（ａ）の底面図、（ｃ）は同（ａ）の正面図、（ｄ）は同（ｃ）の側面図である。これらの図に示すように蛍光ランプ装置１Ｂは、上記蛍光ランプ装置１の口金部４の本体２およびグローブ６の外側面に、軸横断面形状が円弧状で外方に開口した左右一対の縦溝２１，２１を軸方向にそれぞれ形成した点に特徴がある。これら縦溝２１，２１は、その軸方向一端側の口金部４側で開口２１ａし、その軸方向他端側のグローブ６側でも外側に開口２１ｂしている。この下開口２１ｂは上開口２１ａよりも幅広に形成されている。
【００４１】
この蛍光ランプ装置１Ｂによれば、この蛍光ランプ装置１Ｂを手に持ったときに、その手が一対の縦溝２１，２１に引っ掛かり易いので、その滑りを防止または低減できる。したがって、この蛍光ランプ装置１Ｂを手に持ってそのＧＸ５３形の口金部４を、図７（ａ）〜（ｄ）で示す照明器具２２のソケット２３の引っ掛けシーリングに挿入し、所要角回動させて、このソケット２３に装着し、あるいは、その逆に取り外す際の滑りを防止または低減できる。その結果、口金部４をソケットへ装着し、取り外す際の作業の容易性を向上させることができる。
【００４２】
また、これら縦溝２１，２１は、蛍光ランプ装置１Ｂの定格等の規格に応じて、その形状や寸法を種々変えることにより、規格に適合した照明器具２２にしか装着できないように構成することもできる。
【００４３】
図７（ａ）はこの目的のために構成された照明器具２２の斜視図、（ｂ）は同（ａ）の底面図、（ｃ）は同（ａ）の正面図、（ｄ）は同（ｂ）のＢ−Ｂ線断面図である。
【００４４】
これらの図に示すように照明器具２２は、円錐台状の器具本体２２ａの大径端部に外向きフランジ２２ｂを一体に突設し、小径端部の頂端２２ｃに、円形の挿通孔２２ｄを形成し、図７（ｄ）に示すように器具本体２２ａの頂端２２ｃの内側に引っ掛けシーリング用の環状のソケット２３を、挿通孔２２ｄと同心状に形成している。
【００４５】
そして、図７（ｂ），（ｄ）に示すように器具本体２２は、その内面に、軸方向ほぼ中間部にて、左右一対の突起２４，２４を突設している。これら一対の突起２４，２４は器具本体２２ａの直径方向で対向する位置に突設され、その寸法は、照明器具２２の定格に応じて、種々相違する。すなわち、蛍光ランプ装置１Ｂと照明器具２２の定格等規格が同一である場合には、蛍光ランプ装置１Ｂの各縦溝２１をソケット装置２３の各突起２４に一致させる位置決めをした後、この蛍光ランプ装置１Ｂをソケット装置２３内に軸方向に押し込む。すると、蛍光ランプ装置１Ｂの一対の縦溝２１，２１内に、照明器具２２の一対の突起２４，２４が各縦溝２１の上開口２１ａから挿入されて、下開口２１ｂから外部へ出るように挿通される。この後、さらに蛍光ランプ装置１Ｂを押し込むと、照明器具２２のソケット装置２３の図示しないソケット孔内に蛍光ランプ装置１Ｂの一対の口金ピン９，９が挿入され、口金円筒部４ｂが照明器具２２の挿通孔２２ｄ内に挿入される。ここで蛍光ランプ装置１Ｂをその中心軸回りに所要角回動させると、ソケット装置２３の引っ掛けシーリングに係合し、装着される。しかし、両者の規格が不一致の場合は挿通できないようになっている。
【００４６】
したがって、これら蛍光ランプ装置１Ｂと照明器具２２によれば、これら両者の規格が一致する場合のみ蛍光ランプ装置１Ｂを照明器具２２に装着することができ、規格不一致の場合は装着できないので、誤装着を未然に防止することができる。
【００４７】
図８（ａ）は本発明の第４の実施形態に係る照明器具２２Ａの外観斜視図、（ｂ）は同（ａ）の平面図、（ｃ）は同（ａ）の正面図、（ｄ）は同（ａ）の底面図である。
【００４８】
この照明器具２２Ａは、図７（ａ）〜（ｄ）で示す照明器具２２の頂端２２ｃの中央部に挿通孔２２ｄの上方にて、例えば円板状の放熱器２５を設けた点に特徴がある。この放熱器２５は、円板状のベース上に、複数の羽根状の放熱フィン２５ａ，２５ａ…を所要のピッチで並設している。
【００４９】
この照明器具２２Ａは、例えば建屋の天井等に配設され、その頂端部の放熱器２５が天井裏空間に突き出し、その通風により冷却されるので、この放熱器２５の放熱性を向上させることができる。このために、この照明器具２２Ａに装着された蛍光ランプ装置１Ａ，１Ｂの放熱性も向上させることができる。
【符号の説明】
【００５０】
１，１Ａ，１Ｂ…蛍光ランプ装置、２…本体、３…点灯回路、３ａ…点灯回路基板、４…口金部、４ｂ…円筒部（点灯装置収容部）、５…蛍光ランプ、５ａ，５ａ…蛍光ランプの一対の電極封止端部、５ｂ…発光管、５ｃ…環状部、１１…ラックピン、２１…縦溝（凹部）、２２，２２Ａ…照明器具、２４…突起、φ１…発光管の外径、φ２…環状部の環外径、ｈ…蛍光ランプの高さ。
【図１】
2010205433.tif 000003
【図２】
2010205433.tif 000004
【図３】
2010205433.tif 000005
【図４】
2010205433.tif 000006
【図５】
2010205433.tif 000007
【図６】
2010205433.tif 000008
【図７】
2010205433.tif 000009
【図８】
2010205433.tif 000010